(57)【要約】【課題】  人が物を持ち上げ運ぶ時には、荷物の形状、重さによって異なる体位を取るが、ひとつの器具で多くの場合に対応するものが望まれていた。さらに、小型軽量で、携帯に便利なものが求められていた。【解決手段】  肩あるいは首に掛ける帯を用いる。金具で連結された２本の帯から成り、両端には手あるいは腕を掛けるための輪を有する。一方の帯には連結金具を掛けるための複数の穴が開けられ、連結金具を掛ける穴の位置を変えることにより、帯全体の長さを変えることができる。また、この器具を収納する袋として、袋の中にクッション材を入れ、袋を丸め筒状にすると、筒の中に帯を通すことができ、帯を肩あるいは首に掛かた時にパットの役割も果たす収納袋を用いる。【選択図】図１
2009172333.tif 000002
【特許請求の範囲】
【請求項１】
肩あるいは首に掛ける帯であって、両端には手あるいは腕を掛けるための輪を有する、荷物を持ち上げ運ぶための器具
【請求項２】
肩あるいは首に掛ける帯であって、金具で連結された２本の帯から成り、両端には手あるいは腕を掛けるための輪を有する、荷物を持ち上げ運ぶための器具
【請求項３】
肩あるいは首に掛ける帯であって、金具で連結された２本の帯から成り、両端には手あるいは腕を掛けるための輪を有し、一方の帯には連結金具を掛ける複数の穴が開けられ、連結金具を掛ける穴の位置を変えることにより、帯全体の長さを変えることができる、荷物を持ち上げ運ぶための器具
【請求項４】
物を収納する袋であって、袋の中にクッション材を入れていることから、袋を丸め筒状にすると、筒の中に帯等を通すことができ、帯を肩に掛かた時に肩パットの役割も果たす収納袋
【請求項５】
「請求項１」〜「請求項３」のそれぞれの器具と、「請求項４」の収納袋をいっしょにした、荷物を持ち上げ運ぶための器具
【発明の詳細な説明】
【技術分野】
【０００１】  本発明は、荷物を持ち上げ運ぶための帯と、肩パットの役割も果たす収納袋に関する。
【背景技術】
【０００２】  人が物を持ち上げ運ぶこと時には、荷物の形状、重さによって異なる体位を取る。このため、ひとつの器具で全ての場合に対応するのは難しい課題であった。例えば、ビール瓶の入った重いケースを持ち上げる時には、腰を曲げ中腰になり、腕を伸ばしてケースを掴み持ち上げる。机の上に置かれたダンボール等は、肘を曲げて胸に抱え込むようにして運ぶ。背負って運ぶ場合には、腕を伸ばして手を背中に回す。これら全ての場合に対応する器具は類例を見ない。【０００３】  また、持ち上げ運ぶための器具がかさばるものであっては、携帯することが難しく、便利でない。例えば、赤ちゃんを運ぶベビィーバックやバギーはあるが、３〜６歳児用のものは無く、あったとしてもかなりかさばり、遊び帰りに眠くなり抱っこする時のために携行するのは苦痛でもある。【０００４】  よって、人が物を持ち上げ運ぶための道具として、ひとつの器具で全ての場合に対応するものは類例を見ず、さらに、携帯も容易であるものとなると皆無と言える状況と判断される（たとえば、特許庁ホームページ公開公報）。
【発明の開示】
【発明が解決しようとする課題】
【０００５】  人が物を持ち上げ運ぶこと時には、荷物の形状、重さによって異なる体位を取るが、ひとつの器具で多くの場合に対応するものが望まれる。さらに、小型軽量で、携帯に便利なものが求められる。
【課題を解決するための手段】
【０００６】  肩あるいは首に掛ける帯を用いる。金具で連結された２本の帯から成り、両端には手あるいは腕を掛けるための輪を有する。一方の帯（主帯）には連結金具を掛けるための複数の穴が開けられ、連結金具を掛ける穴の位置を変えることにより、帯全体の長さを変えることができる。また、この器具を収納する袋として、袋の中にクッション材を入れ、袋を丸め筒状にすると、筒の中に帯を通すことができ、帯を肩あるいは首に掛かた時にパットの役割も果たす収納袋を用いる。
【発明の効果】
【０００７】  本発明具を用いることにより、荷物の形状、重さによって異なる体位時の手あるいは腕の位置に対応して、手あるいは腕を掛けるための輪の位置を変えることができる。このため、手あるいは腕に掛かる力を帯を通して直接肩に伝えることができ、手あるいは腕に掛かる力が軽減される。必要な力を分散して負担することになるため、安定した姿勢を保つことができ、無理なく作業ができる。特に、子供をおんぶ、抱っこする時のように、ひとつの作業時間が長い場合には、その恩恵が強く認識される。【０００８】  また、本発明具は小型軽量で携帯が容易なため、ポケットあるいはハンドバッグに携帯し、いつでも臨機応変に利用することができる。収納袋が肩パットになる点も優れている。
【発明を実施するための最良の形態】
【０００９】以下、本発明の実施例について、図面を参照して説明する。【００１０】  図１は、本発明具の内、帯を示したものである。符号１（主帯）と符号２（副帯）の２本の帯から成り、金具（符号３、シャックル）で連結される。符号１の主帯には複数の穴（符号６）が設けられ、連結位置を変え、帯全体の長さを調節することができる。連結された帯全体としては、両端にそれぞれ手あるいは腕を掛けるための輪（符号４、符号５）が形成されている。符号７は、次に示す肩パットである。【００１１】  図２は、収納袋（符号８）を示したものである。袋の中の符号９の位置には板状のスポンジが入れられ、クッションの役割を果たす。このスポンジを巻くようにして袋を丸め、マジックテープ（符号１０）で固定する（袋裏面の該当位置にもマジックテープが貼られている）と、帯の力を緩和する筒状のパットとなる。収納時にはマジックテープを外し筒を広げ、ファスナー（符号１１）を開ければ、帯を仕舞うことができる。【００１２】  図３〜図６は、本発明具の使用例を示したものである。肩の位置には収納袋兼用のパットが取り付けられている。【００１３】図３は、かなり重いもの（符号１３）を床から持ち上げ運ぶ場合である。腕を伸ばして使うので、帯も長くなるように連結する。帯（符号１２）を背中で襷掛けにすると良い。また、両端の輪には親指以外の指４本のみを入れ、手の甲で帯に力を伝える。【００１４】  図４は、肘を曲げ、胸の前に荷物（符号１５）を抱える場合である。帯（符号１４）を短くし、首の根元に掛け、腕首を輪の中に入れる。ちょっと重い荷物でも、腹に乗せるような姿勢を取れば、ほとんど腕の力は必要としない。子供を抱っこする場合も該当する。【００１５】  図５は、左右の腕の使い方が異なる場合である。図中では、右肘を伸ばし、左肘を曲げて作業する場合が示されている。寝たきりの被介護者を起す場合などが該当する。帯を少し短くし、両手とも輪には親指以外の指４本のみを入れ、手の甲で帯に力を伝える。被介護者を抱き、肩で楽に起す感じになるので、安心感もある。【００１６】  図６は、背中に荷物（符号１９）を背負う場合である。子供をおんぶする場合などが該当する。帯（符号１８）を長くし、首の根元に掛ける。両端の輪に親指以外の指４本のみを入れ、手の甲で帯に力を伝える。腕を後ろに回し、ズボンのベルトに親指を掛けてしまえば、安定も良く、腕の力も全くいらなくなってしまう。【００１７】  以上のように、本発明は、手あるいは腕に掛かる力を、帯を通して肩に直接伝えるものである。荷物を持ち上げ運ぶ際に帯あるいは紐を用いることは、かなり昔から行われて来たが、ひとつの器具でいろいろなケースに対応できるものは類例がないと判断される。そして、小型軽量である本発明具は携帯することも容易で、人間の諸労働に寄与する度合が極めて高いと考えられる。
【図面の簡単な説明】
【００１８】
【図１】本発明の帯と肩パットを示す図。
【図２】帯を収納するとともに肩パットにもなる収納袋。
【図３】本発明具を用い、荷物を床から持ち上げる様子を示す図。
【図４】本発明具を用い、荷物を胸の前で抱える様子を示す図。
【図５】本発明具を用い、左右の手の動作が異なる形で荷物を持ち上げる様子を示す図。
【図６】本発明具を用い、背中に荷物を乗せて運ぶ様子を示す図。
【符号の説明】
【００１９】  １  帯（主）
２  帯（副）
３  連結金具
４  主帯端の輪
５  副帯端の輪
６  連結金具を掛けるための穴列
７  肩パット
８  肩パットにもなる収納袋
９  スポンジを包む部分
１０  マジックテープ
１１  ファスナー
１２  帯
１３  荷物
１４  帯
１５  荷物
１６  帯
１７  荷物
１８  帯
１９  荷物
【図１】
2009172333.tif 000003
【図２】
2009172333.tif 000004
【図３】
2009172333.tif 000005
【図４】
2009172333.tif 000006
【図５】
2009172333.tif 000007
【図６】
2009172333.tif 000008